(57)【要約】【課題】おむつ交換時に着用者の排泄部の清拭を容易に行うことができ、おむつ交換が簡便化された使い捨ておむつを提供すること。【解決手段】股下部Ｃ並びに腹側部Ａ及び背側部Ｂを具備する使い捨ておむつ１において、肌対向面を親水性となし、また腹側部Ａ又は背側部Ｂにおける肌対向面に、撥水性となされた多数の凸部９ａをおむつ幅方向へ延びるように形成し、凸部９ａの集合域からなる撥水性領域１４を設けた。撥水性領域１４が、腹側部Ａ又は背側部Ｂにおける胴周囲部Ｄに設けられる。【選択図】　　図４
2004016441.tif 000002
【特許請求の範囲】
【請求項１】
股下部並びに該股下部からそれぞれ前後方向に延びる腹側部及び背側部を具備する使い捨ておむつにおいて、該使い捨ておむつの肌対向面を親水性となし、また前記腹側部又は前記背側部における前記肌対向面に、撥水性となされた多数の凸部をおむつ幅方向へ延びるように形成し、該凸部の集合域からなる撥水性領域を設けた使い捨ておむつ。
【請求項２】
前記撥水性領域が、前記腹側部又は前記背側部におけるウエスト部に設けられている請求項１記載の使い捨ておむつ。
【請求項３】
前記撥水性領域が伸縮自在な領域からなり、該伸縮自在な領域はその弛緩状態においてギャザーの形成によるひだよせによって多数の前記凸部を有していると共に隣り合う凸部間が親水性の凹部になっている請求項１又は２記載の使い捨ておむつ。
【請求項４】
前記凸部が、凹凸部を有する一対のエンボスロールを備え、各エンボスロールにおける凹凸部が互いに噛み合うようになっているエンボス装置を用いて形成されている請求項１又は２記載の使い捨ておむつ。
【請求項５】
前記撥水性領域を、油剤成分のパターン塗布によって設けた請求項１〜４の何れかに記載の使い捨ておむつ。
【請求項６】
一方のエンボスロールにおける凹部に開口が設けられており、該開口を通じて油剤成分が供給されるようになっているエンボス装置を用いて前記凸部が形成されている請求項４記載の使い捨ておむつ。
【発明の詳細な説明】
【０００１】
【発明の属する技術分野】
本発明は、使い捨ておむつに関し、更に詳しくは肌対向面に清拭部を有し、おむつ交換を簡便に行い得る使い捨ておむつに関する。
【０００２】
【従来の技術及び発明が解決しようとする課題】
着用中の古い使い捨ておむつを新しいおむつと交換する場合には、着用者を横にした状態で古いおむつを取り外し、着用者の排泄部をウエットティッシュ等の清拭シートで清拭する。周囲を汚さないようにするために、清拭中は、古いおむつを着用者の身体の下に敷いた状態としておくことが一般的である。この場合、一般に、おむつ交換者は片方の手で着用者の脚部を持ち上げ腰を浮かせて、古いおむつに付着している排泄物が着用者に付着しないように注意しながら、他方の手で清拭シートを持って着用者の排泄部の清拭を行わねばならない。排泄物の量等にもよるが、清拭には通常複数枚の清拭シートが必要である。従って、新しい清拭シートを取り出すために視線を移動する際や、新しい清拭シートに手を伸ばしたりする際に誤って、浮かせていた着用者の腰をおむつ上におろしてしまい、おむつに付着している排泄物を着用者に付着させてしまうことがしばしばある。その場合には清拭をやり直さなければならず、非常に手間が掛かってしまう。
【０００３】
従って、本発明は、おむつ交換時に着用者の排泄部の清拭を容易に行うことができ、おむつ交換が簡便化された使い捨ておむつを提供することを目的とする。
【０００４】
【課題を解決するための手段】
本発明者らは、通常の排泄量では、おむつ股下部が排泄物で汚れてしまものの、腹側部の肌対向面までは汚れない場合が多く、また着用者の姿勢によっては背側部の肌対向面も汚れない場合があることに着目し、腹側部及び／又は背側部の肌対向面に所定の処理を施すことで、該肌対向面をおむつ交換時の清拭部として利用し得ることを知見した。
【０００５】
本発明は前記知見に基づきなされたもので、股下部並びに該股下部からそれぞれ前後方向に延びる腹側部及び背側部を具備する使い捨ておむつにおいて、該使い捨ておむつの肌対向面を親水性となし、また前記腹側部又は前記背側部における前記肌対向面に、撥水性となされた多数の凸部をおむつ幅方向へ延びるように形成し、該凸部の集合域からなる撥水性領域を設けた使い捨ておむつを提供することにより前記目的を達成したものである。
【０００６】
【発明の実施の形態】
以下本発明を、その好ましい実施形態に基づき図面を参照しながら説明する。本実施形態は、パンツ型使い捨ておむつに係るものである。図１には、パンツ型使い捨ておむつの斜視図が示されており、図２（ａ）には図１に示すおむつを組み立てる前の状態を表面シート側からみた伸張状態での平面図が示されており、図２（ｂ）には図２（ａ）におけるｂ−ｂ線断面図が示されている。
【０００７】
本実施形態のおむつ１は、図１及び図２に示すように、液透過性の表面シート２、液不透過性の防漏シート３及び両シート２、３間に介在配置された液保持性の吸収体としての吸収性コア４を有する実質的に縦長の吸収体本体１０と、該吸収体本体１０の防漏シート３側に配された外層体１１とを備えている。おむつ１は、着用者の腹側に配される腹側部Ａと背側に配される背側部Ｂとその間に位置する股下部Ｃとを有し、腹側部Ａの両側縁Ａ１，Ａ２と背側部Ｂの両側縁Ｂ１，Ｂ２とが互いに接合されて、ウエスト開口部５及び一対のレッグ開口部６が形成されている。またウエスト開口部５とレッグ開口部６との間は、胴周囲部Ｄとなる。
【０００８】
表面シート２、防漏シート３及び吸収性コア４は所定手段によって互いに接合されて縦長の吸収体本体１０を形成している。表面シート２及び防漏シート３はそれぞれ矩形状である。また吸収性コア４も矩形状である。表面シート２及び防漏シート３としては、従来この種のおむつに用いられているものと同様のものを用いることができる。例えば表面シート２として不織布などの繊維ウエブを用いることができる。後述するように、この繊維ウエブは親水性となされている。吸収性コア４は、高吸収性ポリマーの粒子及び繊維材料から構成されており、ティッシュペーパ（図示せず）によって被覆されている。
【０００９】
図２に示すように、吸収体本体１０の左右両側には、液抵抗性ないし液不透過性で且つ通気性の素材から構成された側方カフス８，８が形成されている。各側方カフス８は、吸収体本体１０の長手方向に沿って固定端部及び自由端部を有している。固定端部は、表面シート２に固定されている。一方、自由端部の近傍には、側方カフス弾性部材８１が伸張状態で配されている。これにより側方カフス８が起立して、吸収体本体１０の幅方向への液の流出が阻止されている。
【００１０】
吸収体本体１０は、図２に示すように、その長手方向を外層体１１の長手方向に一致させて、外層体１１の中央部に固定されている。吸収体本体１０と外層体１１とは、部分的に接合されて固定されている。
【００１１】
外層体１１は、少なくとも二枚のシート材、即ち外層シート１２と該外層シート１２の内面側に配された内層シート１３とを有している。二枚のシート材は例えば不織布などの繊維ウエブから構成されている。この繊維ウエブは疎水性となされている。外層体１１は、おむつ１の外形を形成しており、外層体１１を構成する外層シート１２はおむつ１の最外表面をなしている。内層シート１３は外層シート１２の内面側に、ホットメルト粘着剤等の接着剤によって接合されている。外層体１１は、その両側縁が、長手方向中央部において内方に括れた砂時計形の形状をしている。外層体１１は、吸収体本体１０の前後端縁から外方に延出しており、延出した部分が吸収体本体１０側に折り返されている。そして、折り返された外層材１１の前後端縁は、図２（ｂ）に示すように吸収体本体１０における吸収性コア４上に位置している。
【００１２】
図２に示すように、外層体１１における前後端部には、前後端縁に沿って、複数のウエスト部弾性部材５１ａ、５１ｂがその幅方向に亘り配されている。各ウエスト部弾性部材５１ａ、５１ｂは、外層シート１２と内層シート１３とによって伸張状態で挟持固定されている。これによって、ウエスト開口部５の付近にはウエストギャザーが形成される。
【００１３】
図２に示すように、外層体１１における左右両側の湾曲部には、第１のレッグ部弾性部材６１ａ及び第２のレッグ部弾性部材６１ｂが配されている。第１のレッグ部弾性部材６１ａは、主として股下部Ｃにおける腹側部Ａ寄りに配されており、第２のレッグ部弾性部材６１ｂは、主として股下部Ｃにおける背側部Ｂ寄りに配されている。第１及び第２のレッグ部弾性部材６１ａ、６１ｂは、外層シート１２と内層シート１３との間に配されており、所定の接合手段によって、両シート１２、１３に伸張状態で固定されている。更に、第１及び第２のレッグ部弾性部材６１ａ，６１ｂは、股下部Ｃにおいて互いに交差している。これによって、おむつ１のレッグ開口部６、６の付近にはレッグギャザーが形成される。
【００１４】
図１及び図２に示すように、外層体１１における前後端部と左右両側の湾曲部との間に位置する胴周囲部Ｄには、外層体１１の幅方向に向けて複数の胴回り弾性部材７１ａ、７１ｂがそれぞれ配されている。各胴回り弾性部材７１ａ、７１ｂは糸状であり、おむつ１の腹側部Ａ及び背側部Ｂにおいて、吸収性コア４の両側縁よりも外方の部位Ｄ１に配されており且つ伸縮弾性が発現するように外層シート１２と内層シート１３とによって伸張状態で挟持固定されている。これによって、胴周囲部Ｄにおける吸収性コア４の両側縁よりも外方の部位Ｄ１においては、胴回り弾性部材７１ａ、７１ｂが配された領域に胴周囲ギャザーが形成される。
【００１５】
本実施形態のおむつ１においては、前述の通り外層体１１を構成する外層シート１２及び内層シート１３は疎水性になされている。但し、外層体１１における外層シート１２のうち、トップシート側に折り返された部分（以下、外層シート折り返し部という）１００，１０１は親水性となされている。また前述の通り、吸収体本体１０における表面シート２は親水性となされている。これらの部位を親水性とするには、例えば各種界面活性剤をこれらの部位に塗布すれば良い。
【００１６】
おむつ１における肌対向面のうち、腹側部Ａにおけるウエスト部Ｅには前述の通りウエストギャザーが形成されており、該ギャザーが形成されている領域は伸縮自在となっている。図３に示すように、ウエスト部Ｅにおいては、弛緩状態（つまりおむつが着用されていない状態）では、ギャザーによるひだよせが生じて、外層シート折り返し部１００において、着用者の肌に当接する多数の凸部９ａ及び該凸部９ａ間に位置し表面に露出していない多数の凹部９ｂが形成される。凸部９ａ及び凹部９ｂは交互に位置し、おむつ幅方向へ延びるように形成されている。図３から明らかなように、凸部及び凹部は外層シート１２における外面側にも形成されている。尚、図３においては簡便のため内層シート１３は省略されている。
【００１７】
ウエストギャザーが形成されている伸縮自在な領域には、おむつ幅方向へ延びる撥水性領域１４が設けられている（図４参照）。撥水性領域１４は、ギャザーによるひだよせによって生じた多数の凸部９ａ（図３参照）を有している。凸部９ａは撥水性となされている。つまり、撥水性領域１４は、おむつ幅方向へ延びように形成された多数の凸部９ａの集合域から構成されている。隣り合う凸部９ａ間に位置する凹部９ｂ（図３参照）は、おむつの肌対向面と同様に親水性となされている。
【００１８】
凸部９ａの集合域は、主としてウエスト弾性部材５１ａ上に形成される。ウエスト弾性部材５１ａは複数用いられているから、凸部９ａの集合域は各ウエスト弾性部材５１ａ上に形成される。各ウエスト弾性部材５１ａはおむつ長手方向に所定間隔を置いて配置されているから、凸部９ａの集合域は、おむつ長手方向に所定間隔を置いて位置する。前述の通り撥水性領域１４は、凸部９ａの集合域からなるから、撥水性領域１４は、おむつ長手方向に所定間隔を置いて複数箇所設けられることになる。そして、各撥水性領域１４間は、親水性領域１５（図４参照）となっている。この親水性領域１５は、撥水性領域１４と同様におむつ幅方向へ延びている。その結果、腹側部Ａのウエスト部Ｅにおいては、おむつ長手方向に沿って、撥水性領域１４と親水性領域１５とが交互に位置することになる。
【００１９】
本実施形態のおむつ１が前述の構成を有することによって、おむつ交換時に着用者の排泄部の清拭を容易に行うことができ、おむつ交換が簡便化される。この理由を図４及び図５を参照しながら説明する。着用中の古いおむつを新しいおむつと交換する場合には、おむつ１の両側にある接合部を引き裂き、図４に示すように、着用者の身体の下に敷いた状態としておき、おむつ交換者が片方の手で着用者の脚部を持ち上げ腰を浮かせた状態とする。この状態では、おむつ１の背側部Ｂ上に着用者の身体が位置しており該背側部Ｂの位置は固定されているが、腹側部Ａはフリーの状態となっている。また、おむつ１の股下部Ｃ付近は排泄物で汚れているが、腹側部Ａのウエスト部Ｅ付近までは汚れておらず、きれいな状態となっている。そこで、このフリーとなっており且つきれいな状態が維持されている腹側部Ａのウエスト部Ｅを利用して、着用者の排泄部を清拭する。
【００２０】
清拭の状態を図５に示す。おむつ１の腹側部Ａにおけるウエスト部Ｅによって着用者の排泄部を清拭する場合には、おむつ交換者は空いている方の手でウエスト部Ｅの幅方向中央部を持ち、おむつ１の長手方向に沿ってウエスト部Ｅを一方向（例えば、おむつ交換者からみて奥方向から手前方向）に移動させ、排泄部に付着している排泄物Ｗを拭き取る。この拭き取り動作の最中、ウエスト部Ｅにおけるウエストギャザーは伸張状態となり、該ギャザーにおける凸部９ａ及び凹部９ｂは多少引き延ばされた状態となる。前述の通り、凸部９ａは撥水性であり凹部９ｂは親水性であるから、拭き取り動作の最中には凸部９ａによる撥水部位と凹部９ｂによる親水部位とによって、着用者の排泄部が交互に拭かれることになる。排泄物は一般に親水性であることから、凸部９ａによる撥水部位では排泄物Ｗは吸収されない。吸収されない代わりに、排泄物Ｗは、凸部９ａによる撥水部位によって掻き取られて集められる。集められた排泄物Ｗは凸部９ａに隣接して位置する凹部９ｂによる親水部位において該凹部９ｂ内に取り込まれるか或いは外層シート折り返し部１００に吸収される。次いで、凹部９ｂに隣接する新たな凸部９ａが再び排泄物Ｗを掻き取り集め、更に該凸部９ａに隣接する新たな凹部９ｂにおいて、集められた排泄物が凹部９ｂ内に取り込まれるか或いは外層シート折り返し部１００に吸収される。この動作が繰り返されて、着用者の排泄部に付着していた排泄物がきれいに拭き取られる。この間、おむつ交換者は視線を移動したり或いは拭き取り動作を行っている方の手を他の場所へ移動させる必要が無い。従って、拭き取り動作中に誤って、浮かせていた着用者の腰を、汚れているおむつ１上におろしてしまうことが防止される。その結果、おむつ交換時における着用者の排泄部の清拭を容易に行うことが可能となる。その上、外層シート折り返し部１００自体が風合いの良い材料から構成されているので、拭き取りに際して着用者に違和感を与えることが無い。更に、従来使用していた清拭シートの使用量を削減することができるので経済的である。
【００２１】
その上、本実施形態においては、凸部９ａの集合域からなる撥水性領域１４と親水性領域１５とが交互に位置しているので、図６に示すように着用者の排泄部は、撥水性領域１４と親水性領域１５とによって交互に拭かれることになる。そして、排泄物Ｗは、撥水性領域１４によって掻き取られて集められ、集められた排泄物Ｗは撥水性領域１４に隣接して位置する親水性領域１５において吸収される。この操作が繰り返され、これによっても排泄物がきれいに拭き取られる。
【００２２】
親水性領域と撥水性領域とを本発明の様に具備しない従来のおむつにおける腹側部を用いて排泄物の拭き取り操作を行うと、図７に示すように、その全面が疎水性である外層シート折り返し部１００によって排泄物Ｗが徒に着用者の排泄部に塗り広げられるだけであり、排泄物Ｗを拭き取ることは出来ない。
【００２３】
撥水性領域１４について詳述すると、凸部９ａを撥水性とするためには、典型的には油剤成分を含む塗布液を、外層シート折り返し部１００上にパターン塗布する。油剤成分としては、流動パラフィン、シリコーンオイル、動植物油（オリーブ油、ホホバ油、ベニバナ油、スクワラン及びスクワレン等）、モノ、ジ、トリグリセライド、脂肪族エーテル（ミリスチル−１，３−ジメチルブチルエーテル、パルミチル−１，３−ジメチルビチルエーテル、ステアリル−１，３−ジメチルブチルエーテル、パルミチル−１，３−メチルプロピルエーテル及びステアリル−１，３−メチルプロピルエーテル等）、イソステアリル−コレステロールエステルなどが挙げられる。
【００２４】
前記塗布液には、前述の油剤成分に加えて、粘度調整剤、着用者の皮膚に対して所望の効能を有する剤、及び有機又は無機微粒子が含有されてもよい。これらの成分を用いる場合には、必要に応じて各種界面活性剤を使用して、塗布液を均一化することが好ましい。
【００２５】
粘度調整剤としては、パラフィンワックス、Ｃ１２〜Ｃ２２脂肪酸、Ｃ１２〜Ｃ２２脂肪アルコール、ワセリン、脂肪酸ソルビタンエステル（モノ、ジ、トリ）、ポリオキシエチレン脂肪酸ソルビタンエステル（モノ、ジ、トリ）等、ステアリン酸マグネシウム、ショ糖脂肪酸エステル、シリコーン系レジンなどが挙げられる。
【００２６】
着用者の皮膚に対して所望の効能を有する剤としては、各種植物エキス、セリシン、キトサン、セラミド類、コラーゲン、保湿剤（１，３−ブチレングリコール、ジプロピレングリコール、グリセリン及びプロピレングリコール等）などが挙げられる。植物エキスとしては、オーツ麦エキス、海藻エキス（ヒバマタ）、柚子エキス、ハマメリスエキス、ワレモコウエキス、アスナロエキス、アロエエキス、オウバクエキス、スギナエキス、カミツレエキス、ユーカリエキス、モモ葉エキスなどが用いられる。特に、柚子エキス、ハマメリスエキス、アスナロエキス、アロエエキス、オウバクエキス、もも葉エキスを用いることが好ましい。
【００２７】
有機及び無機微粒子としては、シッカロール、タルク、酸化チタン、アシル化タウリン金属塩（ラウロイルタウリンカルシクウム塩、ラウロイル−β−アラニルカルシウム）ジステアリルエーテル、セチルリン酸亜鉛ナトリウム、Ｎ−ε−ラウロイン−Ｌ−リジン、シリコーンビーズ、ナイロンビーズなどが挙げられる。これらの微粒子の粒径は、０．０５〜５０μｍ、特に１〜２０μｍであることが好ましい。
【００２８】
以上の成分から構成される塗布液を塗工した部位の２０℃におけるＪＩＳ硬度は２０〜５０であることが、肌を傷付けず且つ効果的に清拭できる点から好ましい。
【００２９】
油剤成分を含む塗布液の塗工量（乾燥後の塗工量）は、５〜１００ｇ／ｍ２、特に１０〜５０ｇ／ｍ２程度であることが、排泄物の掻き取り性を十分に発現させる点から好ましい。油剤成分の塗工方法としては、グラビアコーティング等の公知の塗布方法を用いることができる。
【００３０】
前記塗布液はウエスト弾性部材５１ａに沿って外層シート折り返し部１００上に塗工される。塗布液が塗工された部位を確実に凸部９ａとさせるためには、内層シート１３、外層シート１２及びウエスト弾性部材５１ａとの三者を接合するに当たり、図８に示すようにウエスト弾性部材５１ａを伸張状態下に内層シート１３及び外層シート１２と断続的に接合して断続的な接合部Ｊを形成し、更に、隣り合う接合部Ｊ間に位置する内層シート１３に塗布液Ｔを塗工する。つまり塗布液Ｔは、ウエスト弾性部材５１ａに沿って断続的に塗工される。これによってウエスト弾性部材５１ａの伸張状態が解かれると、接合部Ｊ間に位置する外層シート折り返し部１００（この部分は撥水性となっている）がひだよせされて、図３に示すように、撥水性となっている凸部９ａが確実に形成される。これと同時に、接合部Ｊ及びその近傍に位置する外層シート折り返し部１００（この部分は親水性のままである）に、凹部９ｂが確実に形成される。接合には、ホットメルト粘着剤などの各種接着剤を用いた接着や、熱融着などを用いることができる。
【００３１】
本発明の別の実施形態として、弾性部材を利用した凸部の形成に代えて、エンボス加工によって凸部を形成することもできる。具体的には、図９（ａ）に示すように、凹凸部を有する一対のエンボスロール１６，１７を備え、各エンボスロールにおける凹凸部が互いに噛み合うようになっているエンボス装置を用いる。両エンボスロール間に内層シートと外層シートとからなる外層体１１を通すと、両エンボスロール１６，１７の凹凸の噛み合いによって外層体１１に大きな段差の凸部及び隣り合う凸部間に位置する凹部が形成される。このような凹凸の形成方法は一般にスチールマッチエンボス加工と呼ばれる。そして、このエンボス加工に際して、図９（ｂ）に示すように、一方のエンボスロール１６における凹部に開口１８が設けられているエンボス装置を用い、該開口１８を通じて油剤成分を含む塗布液を外層体１１に供給することで、凸部の形成と、該凸部を撥水性となす工程とを同時に行うことができる。この場合には、ウエスト部Ｅからみて股下部Ｃ寄りの部位に弾性部材が存在しないときにでも、胴周囲部Ｄにおける幅方向中央部にまで撥水性領域を設けることができる。
【００３２】
本発明は前記実施形態に制限されない。例えば前記実施形態においては、ウエスト弾性部材５１ａに沿って塗布液を塗工したが、これに代えて胴周囲部Ｄにおける内層シート１３の内面全域に塗布液を塗工してもよい。この場合には、胴周囲部胴周囲部Ｄにおける肌対向面全域が撥水性領域となる。
【００３３】
また、前記実施形態においては、腹側部Ａのウエスト部Ｅにおける肌対向面にのみ撥水性領域１４を形成したが、これに加えて又はこれに代えて背側部Ｂのウエスト部Ｅにおける肌対向面に撥水性領域を形成してもよい。腹側部Ａのウエスト部Ｅにのみ撥水性領域１４を形成する場合には、背側部Ｂのウエスト部Ｅに撥水性領域を形成しないことに起因して低コストでおむつを製造できるという利点がある。一方、背側部Ｂのウエスト部Ｅに撥水性領域１４を形成する場合には、俯せになった姿勢の着用者に対する清拭操作が容易に行えるという利点がある。また、胴周囲部Ｄにおける弾性部材が配された領域にも、ウエスト部Ｅと同様にギャザーを利用して凸部に撥水性領域を設けたり、またエンボス加工によって凸部からなる撥水性領域を設けてもよい。この場合には、胴周囲部Ｄのみに設けてもよいし、ウエスト部Ｅに加えて設けてもよい。
【００３４】
また前記実施形態はパンツ型使い捨ておむつに係るものであったが、本発明は展開型の使い捨ておむつにも同様に適用できる。
【００３５】
【発明の効果】
本発明の使い捨ておむつによれば、おむつ交換時に着用者の排泄部を、おむつ腹側部の肌当接面で清拭することができる。従って、清拭操作を容易に行うことができ、おむつ交換が簡便化される。また、清拭シートの使用量を削減することができ経済的である。
【図面の簡単な説明】
【図１】本発明の一実施形態としてのパンツ型使い捨ておむつを示す斜視図である。
【図２】図２（ａ）は図１に示すおむつを組み立てる前の状態を表面シート側からみた伸張状態での平面図であり、図２（ｂ）は図２（ａ）におけるｂ−ｂ線断面図である。
【図３】弛緩状態での図２におけるＩＩＩ−ＩＩＩ線断面図である。
【図４】図１に示す使い捨ておむつの使用形態を示す模式図である。
【図５】図１に示す使い捨ておむつを用いた排泄部の清拭形態を示す模式図である。
【図６】図１に示す使い捨ておむつを用いた排泄部の別の清拭形態を示す模式図である。
【図７】従来の使い捨ておむつを用いた排泄部の清拭形態を示す模式図である。
【図８】撥水性領域の形成方法を示す模式図である。
【図９】エンボス加工によって凸部を形成し且つ凸部を撥水性とする状態を示す模式図である。
【符号の説明】
１　使い捨ておむつ（吸収性物品）
２　表面シート
３　防漏シート
４　吸収性コア
９ａ　凸部
９ｂ　凹部
１０　吸収体本体
１１　外層体
１２　内層シート
１３　外層シート
１４　撥水性領域
１５　親水性領域
７１ａ、７１ｂ　胴回り弾性部材
Ａ　腹側部
Ｂ　背側部
Ｃ　股下部
Ｄ　胴周囲部
Ｊ　接合部
Ｗ　排泄物
【図１】
2004016441.tif 000003
【図２】
2004016441.tif 000004
【図３】
2004016441.tif 000005
【図４】
2004016441.tif 000006
【図５】
2004016441.tif 000007
【図６】
2004016441.tif 000008
【図７】
2004016441.tif 000009
【図８】
2004016441.tif 000010
【図９】
2004016441.tif 000011